(57)【要約】【課題】各種の播種作業を能率化することができる種テープ自動切断機能を具える種テープ敷設機を提供する。【解決手段】本発明による種テープ自動切断機能を具える種テープ敷設機は、種テープ敷設機を連結手段（１０，１４，１５）によりトラクタのヒッチ１７に結合して牽引し、種テープ１１を敷設し、Ｕターン再敷設前に、ヒッチ１７を上昇させ種テープ敷設機を釣り上げ、伝達手段（２１，２４）で、釣り上げ時の連結手段（１０，１４，１５）の移動を種テープ敷設機に設けられた種テープ切断装置（２３，２５，２６）に伝達することにより、敷設済の種テープ１１の端を切断する。【選択図】図８
2010227072.tif 000002
【特許請求の範囲】
【請求項１】
種テープ敷設機を連結手段によりトラクタのヒッチに結合して牽引し、種テープを敷設し、Ｕターン再敷設前に、前記ヒッチを上昇させ前記種テープ敷設機を釣り上げ、
伝達手段で、釣り上げ時の前記連結手段の移動を前記種テープ敷設機に設けられた種テープ切断装置に伝達することにより、敷設済の種テープ端を切断することを特徴とする種テープ自動切断機能を具える種テープ敷設機。
【請求項２】
請求項１記載の種テープ自動切断機能を具える種テープ敷設機において、
前記種テープ敷設機の主フレームには種テープ敷設用の播種パイプと、
覆土板を具え、
前記連結手段は前記主フレームに枢動可能に設けられたパンタフレームと、
前記パンタフレームを前記ヒッチにリンク結合するパンタアームと、連結金具を具え、
前記種テープ切断装置は、一端でテープ切断刃を支持し前記主フレームに枢動可能に支持されているカッターアームを具え、
前記伝達手段は、前記種テープ敷設機釣り上げ時の、前記連結手段のパンタフレームの前記主フレームに対する角度変移を、前記パンタフレームの基部に設けられている歯車から前記カッターアームの基部に設けられている歯車に伝達し、前記カッターアームを駆動して種テープを切断させるように構成されていることを特徴とする種テープ自動切断機能を具える種テープ敷設機。
【発明の詳細な説明】
【技術分野】
【０００１】
本発明は、種テープ自動切断機能を具える種テープ敷設機に関する。
【背景技術】
【０００２】
いわゆる種テープを敷設する種テープ敷設機は広く用いられるに至っている（特許文献１〜４）。
圃場でトラクタ等で種テープ敷設機を牽引して種テープを敷設する場合は、圃場の一辺側より往復走行して敷設するのが一般的である。特許文献２記載の種子紐切断装置のような装置を具えていない種テープ敷設機では、畝端でＵターンをする度に種テープを切断する必要があるために、作業者（トラクタ運転者）が１名の場合は、Ｕターンをする度に作業者がトラクタから降りて種紐を切断する必要があった。
【先行技術文献】
【特許文献】
【０００３】
【特許文献１】特許第３７１９７７１号公報
【特許文献２】特許第３７１９７７２号公報
【特許文献３】特許第３８０５２１０号公報
【特許文献４】特許第４０３６６８０号公報
【発明の概要】
【発明が解決しようとする課題】
【０００４】
しかしながら、Ｕターンをする度に作業者がトラクタから降りて種紐を切断するのはまことに不都合であり、また、Ｕターンする度に種テープを切断するため、補助者を待機させることも同様に不都合である。特許文献２記載の装置は、レバーで種子紐を釣り上げて円盤カッタでこれを切断するというやや複雑な種子紐切断装置を用いている。
本発明の目的は、特許文献２記載の装置をさらに改良し、Ｕターンをする際に種テープ敷設機を引き上げて、その間に種テープを切断する切断刃をカッターアームに付加することにより種テープの自動切断を可能にした、種テープ自動切断機能を具える種テープ敷設機を提供することにある。
【課題を解決するための手段】
【０００５】
前述の目的を達成するために、本発明による請求項１記載の種テープ自動切断機能を具える種テープ敷設機は、
種テープ敷設機を連結手段によりトラクタのヒッチに結合して牽引し、種テープを敷設し、Ｕターン再敷設前に、前記ヒッチを上昇させ前記種テープ敷設機を釣り上げ、
伝達手段で、釣り上げ時の前記連結手段の移動を前記種テープ敷設機に設けられた種テープ切断装置に伝達することにより、敷設済の種テープ端を切断することを特徴とするものである。
本発明による請求項２記載の種テープ自動切断機能を具える種テープ敷設機は、請求項１記載の種テープ自動切断機能を具える種テープ敷設機において、
前記種テープ敷設機の主フレームには種テープ敷設用の播種パイプと、
覆土板を具え、
前記連結手段は前記主フレームに枢動可能に設けられたパンタフレームと、
前記パンタフレームを前記ヒッチにリンク結合するパンタアームと、連結金具を具え、
前記種テープ切断装置は、一端でテープ切断刃を支持し前記主フレームに枢動可能に支持されているカッターアームを具え、
前記伝達手段は、前記種テープ敷設機釣り上げ時の、前記連結手段のパンタフレームの前記主フレームに対する角度変移を、前記パンタフレームの基部に設けられている歯車から前記カッターアームの基部に設けられている歯車に伝達し、前記カッターアームを駆動して種テープを切断させるように構成されていることを特徴とするものである。
【発明の効果】
【０００６】
本発明による種テープ自動切断機能を具える種テープ敷設機によれば、Ｕターン時にトラクタのヒッチを引き上げることで、種テープを切断することが出来るため、その構造は前述の特許文献２記載の装置より一層簡単になる。よって、作業者はトラクタから降りること無く連続して種テープの敷設作業を行うことが可能となり、作業者の負担を軽減することが出来る。
【図面の簡単な説明】
【０００７】
【図１】種テープ敷設機（種テープ切断装置設置前）の側面図である。
【図２】図１に示した種テープ敷設機の矢視Ａの平面図である。
【図３】図１に示した種テープ敷設機の種テープ敷設動作を示す側面図である。
【図４】図１に示した種テープ敷設機における種テープ切断状態を示す側面図である。
【図５】図１に示した種テープ敷設機に種テープ切断装置を取り付けた本発明による種テープ敷設機の実施例を示す側面図である。
【図６】前記実施例の矢視Ｂの平面図（Ａ）および、矢視Ｃの側面図（Ｂ）である。
【図７】前記実施例の種テープ敷設状態を示す側面図である。
【図８】前記実施例のＵターン前の種テープ切断状態を示す側面図である。
【発明を実施するための形態】
【０００８】
以下図面等を参照して本発明による種テープ切断装置を具える種テープ敷設機の実施形態をさらに詳しく説明する。
先ず本発明による種テープ自動切断機能を具える種テープ敷設機では、種テープ敷設機（図５参照）を後述する連結手段によりトラクタ（図示せず）のヒッチ１７（図７，８）に結合して牽引し、種テープ１１を敷設する。
畝端で再敷設するためにＵターンする前に、ヒッチ１７を上昇させ、種テープ敷設機を釣り上げる。
後述する伝達手段で、種テープ敷設機釣り上げ時の連結手段の移動を、種テープ敷設機に設けられた種テープ切断装置に伝達することにより、敷設済の種テープ端を切断するように構成されている。
【０００９】
種テープ敷設機の主フレーム２は、種テープ敷設用の播種パイプ８と、覆土板７を具えている。
連結手段は主フレーム２に枢動可能に設けられたパンタフレーム１０と、パンタフレーム１０をヒッチ１７にリンク結合するパンタアーム１４と、連結金具１５を具えている。
種テープ切断装置は、一端でテープを切断する谷刃２６と保持金具２５を支持し、主フレーム２に枢動可能に支持されているカッターアーム２３を具えている。
伝達手段は、種テープ敷設機釣り上げ時の、連結手段のパンタフレーム１０の主フレーム２に対する角度変移を、パンタフレーム１０の基部に設けられている歯車２１からカッターアーム２３の基部に設けられて歯車２１に噛み合わされている歯車２４に伝達し、これにより、カッターアーム２３を駆動して種テープ１１を切断させる。
【００１０】
まず種テープ敷設機（種テープ切断装置設置前）の基本構成と種テープ敷設の基本動作を説明する。図１は種テープ敷設機（種テープ自動切断装置設置前）の側面図、図２は、図１の種テープ敷設機の矢視Ａの平面図である。種テープ敷設機の主フレーム２の一端（走行方向前端）に軸３を設ける。この軸３に、前車輪４が取り付けられている。また、主フレーム２の他端（走行方向後端）には軸５を設け、この軸５に対して回転する後車輪６が取り付けられている。
【００１１】
さらに、主フレーム２には、軸３と軸５の間に、覆土板７が取り付けられ、更に、覆土板７の前部に播種パイプ８が取り付けられている。この播種パイプ８は、覆土板７に対して上下方向に位置調整が可能に設けられている。なお、８１は播種パイプの上端孔、８２は播種パイプの下端孔を示す。下端孔の位置で播種深度が決まる。
【００１２】
さらに、主フレーム２には、軸３と軸５の間に、軸９が設けられている。この軸９に対してパンタフレーム１０が回転可能に取り付けられている。パンタフレーム１０の上端には、種テープ１１を巻き付けたリール１２を保持するリールホルダー１３が取り付けられている。
【００１３】
また、パンタフレーム１０には、パンタアーム１４が取り付けられ、パンタアーム１４の他端には連結金具１５が取り付けられている。パンタアームばね１４１は、圃場表面のうねりに対して、前車輪４及び後車輪６が常に追従するように、種テープ敷設機を下方向に押し付け、播種深度を安定させる作用をする。
さらに、パンタフレーム１０には、同フレーム１０が軸９に対して回転する時の回転角を規制するストッパ１６（図１，２参照）が取り付けられている。
【００１４】
次に図１，２に示した種テープ敷設機の種テープ敷設動作および種テープ切断状態を図３及び図４を参照して説明する。
（種テープの敷設）種テープ１１を敷設するために、図３に示すようにトラクタ（図示せず）のヒッチ１７に種テープ敷設機の連結手段の連結金具１５を固定ピン１８で固定する。また、覆土板７と播種パイプ８の下端孔８２の距離（播種深度）を調整する。さらに、種テープ１１を播種パイプ８の上端孔８１より挿入し、下端孔８２より排出する。
トラクタで種テープ敷設機を牽引すると、予め調整した播種深度で種テープ１１が圃場に敷設される。前述したように、圃場で種テープ１１を敷設する場合は、圃場を往復走行するのが一般的であり、殆どの種テープ敷設機における基本的に共通する作用である。
【００１５】
このような種テープ敷設機において次の畝に敷設をするときに畝端でＵターンをする度に種テープ１１を切断する必要がある。このために、作業者が１名の場合は、Ｕターンをする度に作業者がトラクタから降りる必要があった。図４に示すように、Ｕターン前にトラクタのヒッチ１７を引き上げると種テープ１１の一部が地上に露出する。この状態で切断してからＵターンをして次の敷設作業にはいる。
【００１６】
本発明による種テープ敷設機は、前述した種テープ敷設機に種テープ切断装置を取り付けたものである。図５に種テープ切断装置を取り付けた本発明による種テープ敷設機の実施例の側面図を示す。図６の（Ａ）は図５の実施例の矢視Ｂの平面図、（Ｂ）は矢視Ｃの側面図である。
種テープ敷設に係わる機構、敷設の形態は前述したところと異ならず、前述した敷設機の構造と同一の符号を用いている。前述したようにパンタフレーム１０には、パンタアーム１４が取り付けられ、パンタアーム１４の他端には連結金具１５が取り付けられている。更に、パンタフレーム１０が軸９に対して回転する時の回転角を規制するストッパ１６が取り付けられている。
【００１７】
本発明の実施例では、軸９に対してパンタフレーム１０と一体となって回転する歯車２１が取り付けられている。これに対して、主フレーム２には軸２２が設けられ、この軸２２に対して回転するカッターアーム２３が取り付けられている。また軸２２に対してカッターアーム２３と一体となって回転する歯車２４が取り付けられている。この歯車２４は前述した歯車２１に噛み合わされている。
またカッターアーム２３の他端（揺動端）には、Ｖ字形状の谷刃２６と谷刃２６を保持する保持金具２５が取り付けられている。軸９と軸２２の位置は、歯車２１と歯車２４が噛み合うように設けられているから、パンタフレーム１０が軸９に対して回転すると、歯車２１の回転運動が歯車２４に伝達されて、カッターアーム２３が軸２２に対して回転運動する。
【００１８】
本発明による種テープ切断装置を具える種テープ敷設機の種テープの敷設の状態を図７に示すが、これは通常の種テープ敷設機のそれと異ならない。
種テープ１１を敷設するために、トラクタのヒッチ１７に種テープ敷設機の連結金具１５を固定ピン１８で固定する。また、覆土板７と播種パイプ８の下端孔８２の距離（播種深度）を調整する。更に、種テープ１１を播種パイプ８の上端孔８１より挿入し、下端孔８２より排出する。
トラクタで種テープ敷設機を牽引すると、予め調整した播種深度で種テープ１１が圃場に敷設される。
【００１９】
（Ｕターン直前の種テープ切断）図８に示すようにＵターンする前にトラクタのヒッチ１７を引き上げると、種テープ敷設機が釣り上げられ、主フレーム２は軸９に対して回転運動を行い、ストッパ１６に当たり停止する。
この時、歯車２１に噛み合っている歯車２４は軸２２に対して回転運動を行い、カッターアーム２３は、矢印方向に回転運動する。
そして、カッターアーム２３の他端に取り付けられたＶ字形状の谷刃２６が種テープ１１を切断する。
カッターアーム２３の回転角度は、歯車２１と歯車２４の歯数によって決定され、例えば、歯車２１と歯車２４の歯数比が３：１の場合は、主フレーム２とパンタフレーム１０の回転角の３倍の角度でカッターアーム２３が回転し、種テープ１１を切断する。
【００２０】
切断後にヒッチ１７を下げるとカッターアーム２３が復元し、図５の姿勢に戻る。
作業者はこの状態で種テープ敷設機をＵターンさせ、復路の畝に種テープを敷設する。
【産業上の利用可能性】
【００２１】
本発明による種テープ自動切断機能を具える種テープ敷設機は、以上のように構成されているので、各種播種作業の能率を向上させることができ、農業機械の製造分野で広く利用することができる。
【符号の説明】
【００２２】
２  主フレーム
３  軸
４  前車輪
５  軸
６  後車輪
７  覆土板
８  播種パイプ
８１  上端孔
８２  下端孔
９  軸
１０  パンタフレーム
１１  種テープ
１２  リール
１３  リールホルダー
１４  パンタアーム
１４１  パンタアームばね
１５  連結金具
１６  ストッパ
１７  ヒッチ
１８  固定ピン
２１  歯車
２２  軸
２３  カッターアーム
２４  歯車
２５  保持金具
２６  谷刃
【図１】
2010227072.tif 000003
【図２】
2010227072.tif 000004
【図３】
2010227072.tif 000005
【図４】
2010227072.tif 000006
【図５】
2010227072.tif 000007
【図６】
2010227072.tif 000008
【図７】
2010227072.tif 000009
【図８】
2010227072.tif 000010